(57)【要約】【課題】  ユーザーにより柔軟にメンテナンスが対応可能であり、電力会社固有の特殊な設備構成であっても設備構成を意識することなく設備データの作成が可能な電力系統の設備データメンテナンスシステム及び方法を提供することにある。【解決手段】  モデル部品ファイルデータベース４２には、電力系統の設備を示すモデル部品が格納される。部品ファイルデータベース４０には、モデル部品を構成する複数の部品が格納される。処理装置１０は、部品ファイルデータベース４０に格納された部品を用いて、新規モデル部品を作成し、モデル部品ファイルデータベース４２に格納する。また、処理装置１０は、モデル部品ファイルデータベース４２に格納された新規モデル部品を用いて、電力系統の設備をメンテナンスする。【選択図】  図１
2006320144.tif 000002
【特許請求の範囲】
【請求項１】
電力系統の設備を示すモデル部品を格納したモデル部品ファイルデータベースと、このモデル部品ファイルデータベースに格納されたモデル部品を用いて、電力系統の設備をメンテナンスする処理手段とを有する電力系統の設備データメンテナンスシステムにおいて、
前記モデル部品を構成する複数の部品を格納した部品ファイルデータベースを備え、
前記処理手段は、前記部品ファイルデータベースに格納された部品を用いて、新規モデル部品を作成し、前記モデル部品ファイルデータベースに格納することを特徴とする電力系統の設備データメンテナンスシステム。
【請求項２】
請求項１記載の電力系統の設備データメンテナンスシステムにおいて、
前記処理手段は、前記モデル部品ファイルデータベースに格納された新規モデル部品を用いて、電力系統の設備をメンテナンスすることを特徴とする電力系統の設備データメンテナンスシステム。
【請求項３】
モデル部品ファイルデータベースに格納された電力系統の設備を示すモデル部品を用いて、電力系統の設備をメンテナンスする電力系統の設備データメンテナンス方法において、
前記部品ファイルデータベースに格納された前記モデル部品を構成する複数の部品を用いて、新規モデル部品を作成し、前記モデル部品ファイルデータベースに格納することを特徴とする電力系統の設備データメンテナンス方法。
【発明の詳細な説明】
【技術分野】
【０００１】
本発明は、電力系統の設備に関わるデータを入力し、電力系統図の画面作成を行う電力系統の設備データメンテナンスシステム及び方法に係り、特に、モデル部品を用いて画面作成をする際に好適な電力系統の設備データメンテナンスシステム及び方法に関する。
【背景技術】
【０００２】
従来は、設備の増設時には、現地に導入される機器の設備データを入力するために、電力系統を構成する設備、一般的には発電機，変圧器，開閉器，送電線等に対してのデータ入力作業が発生していた。従来の電力系統の設備データメンテナンスシステムにおいては、例えば、特開２００３−２１９５５７号公報に記載のように、設備に関するデータが、設備単位のモデル部品として構成されており、さらに、これらモデル部品をまとめて、設備データベースを形成するものが知られている。
【０００３】
【特許文献１】特開２００３−２１９５５７号公報
【発明の開示】
【発明が解決しようとする課題】
【０００４】
しかしながら、特開２００３−２１９５５７号公報記載の方法では、設備マスターに基いて設備モデルを形成しているため設備の構成が設備マスターに基いていない特殊な設備の場合に設備構成の検討やメーカによる設備構成の追加を行う必要があり、柔軟に対応できないという問題があった。
【０００５】
本発明の目的は、ユーザーにより柔軟にメンテナンスが対応可能であり、電力会社固有の特殊な設備構成であっても設備構成を意識することなく設備データの作成が可能な電力系統の設備データメンテナンスシステム及び方法を提供することにある。
【課題を解決するための手段】
【０００６】
（１）上記目的を達成するために、本発明は、電力系統の設備を示すモデル部品を格納したモデル部品ファイルデータベースと、このモデル部品ファイルデータベースに格納されたモデル部品を用いて、電力系統の設備をメンテナンスする処理手段とを有する電力系統の設備データメンテナンスシステムにおいて、前記モデル部品を構成する複数の部品を格納した部品ファイルデータベースを備え、前記処理手段は、前記部品ファイルデータベースに格納された部品を用いて、新規モデル部品を作成し、前記モデル部品ファイルデータベースに格納するようにしたものである。  
かかる構成により、ユーザーにより柔軟にメンテナンスが対応可能であり、電力会社固有の特殊な設備構成であっても設備構成を意識することなく設備データの作成が可能となる。
【０００７】
（２）上記（１）において、好ましくは、前記処理手段は、前記モデル部品ファイルデータベースに格納された新規モデル部品を用いて、電力系統の設備をメンテナンスするようにしたものである。
【０００８】
（３）また、上記目的を達成するために、本発明は、モデル部品ファイルデータベースに格納された電力系統の設備を示すモデル部品を用いて、電力系統の設備をメンテナンスする電力系統の設備データメンテナンス方法において、前記部品ファイルデータベースに格納された前記モデル部品を構成する複数の部品を用いて、新規モデル部品を作成し、前記モデル部品ファイルデータベースに格納するようにしたものである。  
かかる構成により、ユーザーにより柔軟にメンテナンスが対応可能であり、電力会社固有の特殊な設備構成であっても設備構成を意識することなく設備データの作成が可能となる。
【発明の効果】
【０００９】
本発明によれば、ユーザーにより柔軟にメンテナンスが対応可能であり、電力会社固有の特殊な設備構成であっても設備構成を意識することなく設備データの作成が可能となる。
【発明を実施するための最良の形態】
【００１０】
以下、図１〜図５を用いて、本発明の一実施形態による電力系統の設備データメンテナンスシステムの構成及び動作について説明する。  
最初に、図１を用いて、本実施形態による電力系統の設備データメンテナンスシステムの構成について説明する。  
図１は、本発明の一実施形態による電力系統の設備データメンテナンスシステムの構成を示すシステムブロック図である。
【００１１】
本実施形態による電力系統の設備データメンテナンスシステムは、処理装置１０と、ディスプレイ等の表示手段２０と、キーボードやマウス等の入力手段３０と、各種情報を格納している部品ファイルデータベース４０，モデル部品データベース４２，設備データベース４４，画面データベース４６，接続情報データベース４８とから構成される。
【００１２】
表示手段２０の画面には、「メニュー」，「部品ツール」，「モデル部品ツール」，「作画エリア」が表示される。「メニュー」には、保存，終了，操作取消等の設備データメンテナンスに必要なメニューの他に、モデル部品作成メニューや設備データメンテナンスメニューがある。例えば、モデル部品作成メニューを選択する事により、「作画エリア」はモデル部品を作成するためのエリアとなる。
【００１３】
「部品ツール」には、部品ファイルデータベース４０に登録されている丸，三角，直線等の部品ファイルを、部品毎に釦表示される。
【００１４】
ここで、図２を用いて、本実施形態による電力系統の設備データメンテナンスシステムで用いる部品ツールについて説明する。  
図２は、本発明の一実施形態による電力系統の設備データメンテナンスシステムで用いる部品ツールの表示例図である。
【００１５】
図１の表示装置２０の「部品ツール」のエリアには、図２に示すような、丸，三角，直線等の部品ファイルが、部品毎に釦表示される。これらの部品は、部品ファイルデータベース４０に登録されている
また、図１の表示装置２０の「モデル部品」には、モデル部品ファイルデータベース４２に登録されているモデル部品が、モデル部品毎に釦表示される。
【００１６】
ここで、図３を用いて、本実施形態による電力系統の設備データメンテナンスシステムで用いるモデル部品ツールについて説明する。  
図３は、本発明の一実施形態による電力系統の設備データメンテナンスシステムで用いるモデル部品ツールの表示例図である。なお、図３（Ａ）は、既存のモデル部品ツールの表示例図であり、図３（Ｂ）は、後述するモデル部品の追加により追加された状態を示すモデル部品ツールの表示例図である。
【００１７】
図３（Ａ）に示すように、モデル部品は、丸や四角を直線で結んだ形状を有しており、ここの丸や四角などの部品の組合せにより、所定の設備を表している。図３（Ｂ）では、図３（Ａ）と比べると分かるように、丸と直線のモデル部品が追加されているが、この点については、後述する。
【００１８】
次に、図１の「昨画エリア」には、系統図やモデル部品が表示される。
【００１９】
ここで、図４を用いて、本実施形態による電力系統の設備データメンテナンスシステムで用いる作画エリアの表示例について説明する。  
図４は、本発明の一実施形態による電力系統の設備データメンテナンスシステムで用いる作画エリアの表示例図である。図４（Ａ）は、設備メンテナンス前の電気所の系統図を表示した例であり、図４（Ｂ）は、設備メンテナンス前の電気所の系統図を表示した例である。
【００２０】
図４（Ａ）は、「メニュー」の設備データメンテナンスメニューから、メンテナンス対象の電気所の系統図を、設備データベース４４から呼び出して表示した状態を示している。
【００２１】
表示されている電気所は、第１母線ＢＬ１に対して、第１ブスタイ（母線セクション）ＢＴ１と、線路端ＬＥ１とが接続され、第１母線ＢＬ１と第２母線ＢＬ２との間には、変圧器ＣＶ１が接続されていることを示している。第１ブスタイ（母線セクション）ＢＴ１は、丸で表示される断路器ＬＳ１，ＬＳ２と、四角で表示される開閉器ＣＢ１とから構成される。線路端ＬＥ１は、断路器ＬＳ３，ＬＳ４，ＬＳ５と、開閉器ＣＢ２とから構成される。変圧器ＣＶ１は、断路器ＬＳ６，ＬＳ７，ＬＳ８，ＬＳ９と、開閉器ＣＢ３，ＣＢ４と、トランスＴＲ１とから構成される。
【００２２】
ここで、第１ブスタイ（母線セクション）ＢＴ１，線路端ＬＥ１，変圧器ＣＶ１等は一般に使われる設備であるため、モデル部品ファイル４２の中に、モデル部品として登録されているものである。
【００２３】
図４（Ａ）で示される電気所に対して、特殊な設備として、図４（Ｂ）に一点鎖線で示す第２ブスタイＢＴ２が追加された場合について説明する。第２ブスタイＢＴは、図４（Ｂ）に示すように、１個の断路器ＬＳ１０から構成されるものとして、この第２ブスタイＢＴ２に相当するモデル部品が、モデル部品ファイルデータベース４２に登録されていないものとする。
【００２４】
このようなとき、本実施形態による電力系統の設備データメンテナンスシステムでは、以下の方法によって、モデル部品を作成し、作成されたモデル部品をモデル部品ファイルデータベース４２に登録することで、設備のメンテナンスを行うことができる。
【００２５】
新規モデル部品の作成にあたっては、「メニュー」のモデル部品作成メニューを選択することで、モデル部品を作成し、作成されたモデル部品のモデル部品ファイルデータベース４２への登録を実行できる。
【００２６】
ここで、図５を用いて、本実施形態による電力系統の設備データメンテナンスシステムによるモデル部品作成処理の内容について説明する。ここでは、第２ブスタイＢＴ２をモデル部品として作成追加する場合を例にして説明する。  
図５は、本発明の一実施形態による電力系統の設備データメンテナンスシステムによるモデル部品作成処理の内容を示すフローチャートである。
【００２７】
「メニュー」のモデル部品作成メニューを選択することで、表示装置２０の「作画エリア」はモデル部品を作成するエリアとなる。
【００２８】
次に、ステップｓ１０において、処理装置１０は、操作者から指示された部品を、部品ファイルデータベース４０から呼び出す。第２ブスタイＢＴ２を新規モデル部品として作成する場合には、表示装置２０の「部品ツール」から、丸の部品を入力手段３０であるマウスのクリツクにより選択し、「作画エリア」ヘマウスクリツクにより貼付ける。
【００２９】
次に、ステップｓ２０において、処理装置１０は、「部品ツール」から、直線の部品をマウスクリツクにより選択し、「作画エリア」において、丸に接続するように、マウスクリツクにより貼付けることにより、モデル部品描画を開始する。さらに、「部品ツール」から、直線の部品をマウスクリツクにより選択し、「作画エリア」において、丸に接続するように、マウスクリツクにより貼付ける。この一連の作業によって、図４（Ｂ）に示した第２ブスタイＢＴ２のように、丸の両端に直線が接続された図形を得ることができる。
【００３０】
次に、ステップｓ３０において、処理装置２０は、描画された部品に対して、グループ化することにより、「作画エリア」に描画されている部品が１つのモデル部品として一体化する。
【００３１】
次に、ステップｓ４０において、処理装置２０は、グループ化された部品群をモデル部品として、モデル部品ファイルデータベース４２に登録する。
【００３２】
以上の処理によって、モデル部品ファイルデータベース４２には、第２ブスタイＢＴ２に相当するモデル部品を新規に登録することができる。このように新規モデル部品を追加することにより、表示装置２０の「モデル部品ツール」には、図３（Ｂ）に示すように、第２ブスタイＢＴ２に相当するモデル部品が追加される。
【００３３】
次に、図４（Ａ）に示す既存の電気所の系統に対して、図４（Ｂ）に示すように、第２ブスタイＢＴ２を追加設備として追加するメンテナンス処理の内容について説明する。
【００３４】
「メニュー」の「設備データメンテナンスメニュー」を選択することにより、設備データメンテナンス処理を開始できる。そして、表示装置２０の「作画エリア」に、メンテナンス対象となる電気所を呼び込むと、図４（Ａ）に示すような電気所の系統図が表示される。
【００３５】
次に、表示装置２０の「モデル部品ツール」（図４（Ｂ）に示す）から、第２ブスタイに相当するモデル部品を選択し、「作画エリア」の図示の位置に貼付ける。
【００３６】
次に、「作画エリア」に貼付けたモデル部品へ設備データを入力する。設備データの入力，例えば、第２ブスタイＢＴ２のデータを入力する場合、第２ブスタイＢＴ２を選択することにより、図４（Ｂ）に示すように、「設備データ入力画面」を表示させ、「設備データ入力画面」より、系統図を参照しながらデータの入力を行う。例えば、第２ブスタイＢＴ２の例では、「設備名称」として「第２ブスタイ」，「設備略称」として「ＢＴ２」，「電圧階級」として「２７５ｋＶ」というように入力する。なお、「作画エリア」へ貼付けたモデル部品を構成している部品単位のデータが必要である場合には、部品単位のデータを入力する。以上のようにして入力された電気所設備のデータは、図１の設備データベース４４に登録される。また、画面のデータは、画面データベース４６に登録される。
【００３７】
なお、同一のモデル部品と殆ど同じデータを持つ電気所設備の追加がある場合、追加する前の電気所設備を選択しコピーすることで、画面のデータと設備のデータをコピーすることができる。コピーされた追加の電気所設備のデータを修正することにより、設備データの作成に時間を掛けずに容易に作成することができる。
【００３８】
以上説明したように、本実施形態によれば、全ての設備構成に対してユーザーが自由に設備構成を作成できるので、従来のような、電力系統設備モデリングを意識する必要が無くメンテナンス性が向上する。
【図面の簡単な説明】
【００３９】
【図１】本発明の一実施形態による電力系統の設備データメンテナンスシステムの構成を示すシステムブロック図である。
【図２】本発明の一実施形態による電力系統の設備データメンテナンスシステムで用いる部品ツールの表示例図である。
【図３】本発明の一実施形態による電力系統の設備データメンテナンスシステムで用いるモデル部品ツールの表示例図である。
【図４】本発明の一実施形態による電力系統の設備データメンテナンスシステムで用いる作画エリアの表示例図である。
【図５】本発明の一実施形態による電力系統の設備データメンテナンスシステムによるモデル部品作成処理の内容を示すフローチャートである。
【符号の説明】
【００４０】
１０…処理装置
２０…表示手段
３０…入力手段
４０…部品ファイルデータベース
４２…モデル部品データベース
４４…設備データベース
４６…画面データベース
４８…接続情報データベース
【図１】
2006320144.tif 000003
【図２】
2006320144.tif 000004
【図３】
2006320144.tif 000005
【図４】
2006320144.tif 000006
【図５】
2006320144.tif 000007